(57)【要約】本発明は、センサを備えた装置（１０）であって、当該装置（１０）が、手（２０，２２）で表面（１４）にわたって案内されるようになっており、当該装置（１０）において、検出されたデータが、表示装置（３８）によって表示されるようになっている形式のものから出発する。本発明による提案では、手（２０，２２）のために、グリップ（１２）の、ほぼ直径方向で互いに反対の側に位置する２つの面にグリップ面（４０，４２）が位置しており、少なくとも１つのグリップ面（４０，４２）がセンサ（２６，２８，３０，３２）を有しており、該センサ（２６，２８，３０，３２）が、前記グリップ面（４０，４２）に接触している指（２０，２２）の数を検出するようになっている。
2004519799.tif 000002
【特許請求の範囲】
【請求項１】
センサを備えた装置（１０）であって、当該装置（１０）が、手（２０，２２）で表面（１４）わたって案内されるようになっており、当該装置（１０）において、検出されたデータが、表示装置（３８）によって表示されるようになっている形式のものにおいて、手（２０，２２）のために、グリップ（１２）の、ほぼ直径方向で互いに反対の側に位置する２つの面にグリップ面（４０，４２）が位置しており、該グリップ面（４０，４２）のうちの少なくとも一方のグリップ面が、センサ（２６，２８，３０，３２）を有しており、該センサ（２６，２８，３０，３２）が、前記１つのグリップ面（４０，４２）に接触している指（２０，２２）の数を検出するようになっていることを特徴とする、センサを備えた装置。
【請求項２】
センサ（２６，２８，３０，３２）として、隣り合って位置する２つのコンタクト条片（２６，２８；３０，３２）が設けられており、指（２０，２２）によって閉じられた測定回路（３４，３６）の抵抗が、評価ユニット（２４）によって評価されるようになっている、請求項１記載の装置。
【請求項３】
センサ（２６，２８，３０，３２）が、容量式のまたは誘導式の測定法により作業するようになっている、請求項１記載の装置。
【請求項４】
センサ（２６，２８，３０，３２）が、光電センサである、請求項１記載の装置。
【請求項５】
互いに反対の側に位置するグリップ面（４０，４２）にそれぞれセンサ（２６，２８；３０，３２）が設けられており、一方のグリップ面（４０，４２）のセンサ（２６，２８；３０，３２）の信号が、他方のグリップ面（４０，４２）のセンサ（２６，２８；３０，３２）の信号と比較されるようになっている、請求項１から４までのいずれか１項記載の装置。
【発明の詳細な説明】
【０００１】
背景技術
本発明は、請求項１の上位概念部に記載した形式の、センサを備えた装置から出発する。
【０００２】
手で表面にわたって移動させられ、この場合、センサによって表面の特性を検出しかつ検出されたデータを表示装置、例えばディスプレイによって表示する装置が公知である。このような装置は、例えば距離、面積またはこれに類するものを測定することができる測定装置でもある。表示に関しては、移動コンセプトおよびグリップコンセプトに応じて、次のような問題が存在する。すなわち、特定の移動方向では表示が逆さまになり、これによって表示が読み取りにくくなることがあり、その結果、特に、例えば６と９のように、逆さまになっている数字が、逆さまになっていない別の数字と解釈され得た場合に読み取りミスが生ぜしめられる。この問題の解決手段は、装置のオペレータが、操作エレメントを介して手で表示の向きを設定することにある。しかしながら、このことは面倒であり、したがって、しばしばないがしろにされる。
【０００３】
発明の利点
本発明によれば、手のために、グリップの、ほぼ直径方向で互いに反対の側に位置する２つの面にグリップ面が位置している。これらのグリップ面のうちの少なくとも１つのグリップ面がセンサを有しており、このセンサは、前記グリップ面に接触している指の数を検出する。この場合、グリップもしくはグリップ面は装置のケーシングの一体の構成部材であってよい。グリップが装置の操作のために有利な箇所をケーシングに形成しており、これによって、装置がこの箇所で把持されるということしか重要ではない。
【０００４】
本発明は、直径方向で互いに反対の側に位置するグリップ面に片方の手の、異なる数の指が接触しているという認識から出発している。一方のグリップ面には親指しか接触していないのに対して、他方のグリップ面には手の複数の指が接触している。通常、把持時には親指がオペレータに面しているので、親指と残りの指との位置からオペレータの視線方向を推測することができ、したがって、表示装置の表示を視線方向に対応させることができる。
【０００５】
センサは、各グリップ面に接触している指の数を検出し、表示装置の表示を相応に方向付ける信号を発する。この目的のためには、適切なあらゆる種類のセンサ、例えばセンサが位置している測定回路の抵抗、キャパシタンスまたはインダクタンスが、接触している指の数に相応して変化することによって、抵抗式、容量式または誘導式の測定法により作業するセンサが考慮される。しかしながら、多かれ少なかれ指によって覆われ、ひいては光入射を変化させる光電センサが使用されてもよい。親指とのコンタクトまたは残りの指とのコンタクトを特徴的に示すセンサの信号が一定の基準値と比較され得るので、グリップ面がオペレータの体に面しているかまたは反対の側にあるかが認識される。各グリップ面にセンサが設けられている場合には、センサの信号が評価ユニットで互いに比較され得る。
【０００６】
単純な構成は、それぞれ各グリップ面に、隣り合って位置する２つのコンタクト条片が設けられており、かつ指によって閉じられた測定回路の抵抗が評価ユニットによって評価される、抵抗式の測定法によって得られる。
【０００７】
さらなる利点は、図面に基づく以下の実施例の説明から得られる。図面には、本発明の実施例が示されている。図面の簡単な説明、実施例の説明および特許請求の範囲には、組み合わされた多数の特徴が記載されている。これらの特徴は、当業者によって、有利には個々に考慮され、かつ有利な別の組み合わせにまとめられる。
【０００８】
実施例の説明
装置１０、例えば測定装置は手によって表面１４にわたって案内される。装置１０は、表面１４に向けられたセンサ（図示せず）と、直径方向で互いに反対の側に位置する２つのグリップ面４０，４２を備えたグリップ１２とを有している。さらに、装置１０は表示装置３８を有している。この表示装置３８には、センサによって検出されたデータが表示される。装置１０が、図１に示した上側の図に相応して右手で把持され、慣用の形式で案内方向１６に移動させられる場合には、手の親指２２がグリップ面４０に接触しているのに対して、親指以外の残りの指２０はグリップ面４２に接触している。
【０００９】
グリップ１２の長手方向では、グリップ面４２にコンタクト条片２６，２８が埋め込まれており、グリップ面４０にコンタクト条片３０，３２が埋め込まれている。これらのコンタクト条片は図２の概略的な展開図に示されている。親指２２はコンタクト条片３０，３２に跨っていて、測定回路３４を閉じている。この測定回路３４の抵抗４６は評価ユニット２４によって評価される。この評価ユニット２４は同様に、測定回路３６の抵抗４４を評価する。この測定回路３６は、グリップ面４２のコンタクト条片２６，２８に接触している残りの指２０によって閉じられている。抵抗４４；４６は、跨っている指２０，２２の数に応じて、約０．３メガオーム〜２メガオームとなる。この場合、複数の指２０が関与している測定回路３６の抵抗４４は、親指２２しか関与していない測定回路３４の抵抗４６よりも著しく小さくなっている。したがって、評価ユニット２４は、両測定回路３４，３６の抵抗値を互いに比較することによって、表示装置３８の表示に対する一義的な信号を発することができる。測定回路３４の抵抗値が測定回路３６の抵抗値よりも大きい場合には、オペレータの右手がグリップ１２に位置しているのに対して、逆の事例では、左手がグリップ１２を保持している。
【００１０】
図１の下側半部には、装置１０が１８０°だけ回動させられて案内方向１８と共に示されている。いま、グリップ１２は左手で把持される。この場合、親指２２が、コンタクト条片２６，２８を備えたグリップ面４２に接触しているのに対して、残りの指２０は、コンタクト条片３０，３２を備えたグリップ面４０に接触している。これによって、評価ユニット２４が、表示装置３８の表示を１８０°だけ回動させた信号を発するので、オペレータは表示を常に正しい向きで読むことができる。
【００１１】
グリップ面４０またはグリップ面４２にしかセンサ２６，２８；３０，３２が設けられていない場合には、相応の測定回路の抵抗値が一定の基準値と比較され得る。抵抗値が基準値よりも大きい場合には、親指２２しかセンサ２６，２８；３０，３２に接触しておらず、抵抗値が基準値よりも小さい場合には、残りの指２０がセンサ２６，２８；３０，３２に接触している。
【図面の簡単な説明】
【図１】
表面において逆方向に向けられている、本発明による２つの装置の概略的な平面図である。
【図２】
２つの測定回路の概略的な展開図である。
【図３】
グリップの概略的な拡大平面図である。
【図４】
図３に示した矢印ＩＶの方向で見た、グリップの概略図である。
【符号の説明】
１０  装置、  １２  グリップ、  １４  表面、  １６  案内方向、  １８  案内方向、  ２０  指、  ２２  親指、  ２４  評価ユニット、  ２６  コンタクト条片、  ２８  コンタクト条片、  ３０  コンタクト条片、  ３２  コンタクト条片、  ３４  測定回路、  ３６  測定回路、  ３８  表示装置、  ４０  グリップ面、  ４２  グリップ面、  ４４  抵抗、  ４６  抵抗
【国際公開パンフレット】
2004519799.tif 000003
2004519799.tif 000004
2004519799.tif 000005
2004519799.tif 000006
2004519799.tif 000007
2004519799.tif 000008
2004519799.tif 000009
2004519799.tif 000010
2004519799.tif 000011
2004519799.tif 000012
2004519799.tif 000013
2004519799.tif 000014
2004519799.tif 000015
【国際調査報告】
2004519799.tif 000016
2004519799.tif 000017
2004519799.tif 000018
2004519799.tif 000019
2004519799.tif 000020
2004519799.tif 000021
2004519799.tif 000022
2004519799.tif 000023